(57)【要約】【課題】立体感や導光部材の素材感を出すことができ、意匠性の向上を図った指針を提供する。【解決手段】指針外周部１０には先端部から後端部に亘って延在する長手方向に沿った溝１１が背面に設けられている。指針中央部２０がその溝１１内に挿入されている。指針中央部２０が、指針外周部１０と同系色で、かつ指針外周部１０よりも濃い色に着色されて設けられている。【選択図】図１
2008157726.tif 000002
【特許請求の範囲】
【請求項１】
入射された光を内部に導光して自発光する導光部材から成る自発光式の指針において、
前記指針の長手方向に沿った溝が背面に設けられた指針外周部と、
前記溝内に挿入された指針中央部とを有し、そして、
前記指針中央部と前記指針外周部とが、異なる色に着色されて設けられていることを特徴とする指針。
【請求項２】
前記指針中央部が、前記指針外周部と同系色で、かつ前記指針外周部よりも濃い色に着色されて設けられていることを特徴とする請求項１に記載の指針。
【請求項３】
前記溝が、先端部から後端部に亘って延在するように設けられていることを特徴とする請求項１又は２に記載の指針。
【請求項４】
前記指針中央部の先端側の幅が前記指針外周部の溝幅よりも小さくなるように前記指針中央部が設けられていることを特徴とする請求項１〜３何れか１項に記載の指針。
【発明の詳細な説明】
【技術分野】
【０００１】
本発明は、指針に係り、特に、入射された光を内部に導光して自発光する導光部材から成る自発光式の指針に関するものである。
【背景技術】
【０００２】
一般的に車両には、車両速度及びエンジン回転数等の計測値を表示する指針式表示装置が搭載されている。上述した指針式表示装置に用いられる指針として、入射された光を内部に導光して自発光する導光部材から成る自発光式のものが提案されている（特許文献１）。この自発光式の指針は、指針後端に設けた入射面と、入射面から入射した光を指針先端側に反射する反射面とを有している。
【０００３】
上記自発光式の指針は、その背面が先端に近づくに従って正面側に向かうテーパに設けられ、指針先端側に向かう光を正面に向かって反射するようになっている。この指針は、正面が一様に光輝するように視認される。また、幅方向が複数に分割された指針も提案されている（特許文献２）。この指針も、その正面が一様に光輝するように視認される。
【０００４】
しかしながら、上述した従来の指針では、正面が一様に光輝するだけで、立体感や導光部材の素材感がなく意匠性が乏しいという問題があった。
【特許文献１】特開２００５−１２１３７６号公報
【特許文献２】特開２００５−２６５８３５号公報
【発明の開示】
【発明が解決しようとする課題】
【０００５】
そこで、本発明は、上記のような問題点に着目し、立体感や導光部材の素材感を出すことができ、意匠性の向上を図った指針を提供することを課題とする。
【課題を解決するための手段】
【０００６】
上記課題を解決するためになされた請求項１記載の発明は、入射された光を内部に導光して自発光する導光部材から成る自発光式の指針において、前記指針の長手方向に沿った溝が背面に設けられた指針外周部と、前記溝内に挿入された指針中央部とを有し、そして、前記指針中央部と前記指針外周部とが、異なる色に着色されて設けられていることを特徴とする指針に存する。
【０００７】
請求項１記載の発明によれば、指針外周部には、長手方向に沿った溝が背面に設けられ、指針中央部がその溝内に挿入されている。そして、指針中央部と指針外周部とが、異なる色に着色されて設けられているので、指針の中央部と幅方向の端部とが異なる色に視認されるため、立体感や導光部材の素材感を出すことができる。
【０００８】
請求項２記載の発明は、前記指針中央部が、前記指針外周部と同系色で、かつ前記指針外周部よりも濃い色に着色されて設けられていることを特徴とする請求項１に記載の指針に存する。
【０００９】
請求項２記載の発明によれば、指針中央部が、指針外周部と同系色で、かつ指針外周部よりも濃い色に着色されて設けられている。従って、指針が、正面中央部が濃く幅方向の端部が淡くなるように視認されるため、より一層、立体感や導光部材の素材感を出すことができる。
【００１０】
請求項３記載の発明は、前記溝が、先端部から後端部に亘って延在するように設けられていることを特徴とする請求項１又は２に記載の指針に存する。
【００１１】
請求項３記載の発明によれば、溝が、先端部から後端部に亘って延在するように設けられているので、先端部から後端部に亘って正面中央部が濃く幅方向の端部が淡くなるように視認される。
【００１２】
請求項４記載の発明は、前記指針中央部の先端側の幅が前記指針外周部の溝幅よりも小さくなるように前記指針中央部が設けられていることを特徴とする請求項１〜３何れか１項に記載の指針に存する。
【００１３】
請求項４記載の発明によれば、指針中央部の先端側の幅が指針外周部の溝幅よりも小さくなるように指針中央部が設けられているので、色濃度の高い指針中央部の先端を細くすることができる。
【発明の効果】
【００１４】
以上説明したように請求項１記載の発明によれば、指針の中央部と幅方向の端部とが異なる色に視認されるため、立体感や導光部材の素材感を出すことができるので、意匠性の向上を図ることができる。
【００１５】
請求項２記載の発明によれば、指針が、正面中央部が濃く幅方向の端部が淡くなるように視認されるため、より一層、立体感や導光部材の素材感を出すことができ、意匠性の向上を図ることができる。
【００１６】
請求項３記載の発明によれば、先端部から後端部に亘って正面中央部が濃く幅方向の端部が淡くなるように視認されるので、より一層意匠性の向上を図ることができる。
【００１７】
請求項４記載の発明によれば、色濃度の高い指針中央部の先端を細くすることができるので、指示精度の向上を図ることができる。
【発明を実施するための最良の形態】
【００１８】
以下、本発明の一実施の形態を図面に基づいて説明する。図１は、本発明の指針の一実施の形態を示す後端側の部分斜示図である。図２は、図１に示す指針の先端側の部分斜示図である。図３は、図１に示す指針の背面図である。図４は、図１に示す指針のＩＶ−ＩＶ線断面図である。
【００１９】
同図に示すように、指針は、先端部から後端部に亘って長手方向に沿って延在する溝１１が背面に設けられた指針外周部１０と、その溝１１に挿入された指針中央部２０とを有している。上記指針外周部１０、指針中央部２０は各々、アクリルなどの導光部材から構成されている。そして、指針外周部１０と指針中央部２０とは、互いに同系色に着色されていて、指針中央部２０は、指針外周部１０よりも濃い色に着色されている。例えば、指針外周部１０が淡いピンクに着色されていれば、指針中央部２０が濃いピンクに着色される。
【００２０】
次に、上述した指針外周部１０の形状について説明する。図４に示すように、指針外周部１０は、その後端に背面側に向かって突出する外周部突出部１２が設けられている。この外周部突出部１２の背面が、光源３０からの光Ｌが入射される外周部入射面１３となる。上記溝１１は、この外周部入射面１３から先端に亘って延在するように設けられている。
【００２１】
また、指針外周部１０は、その後端の正面に先端に近づくに従って正面側に向かうテーパ状の外周部反射面１４が設けられている。この外周部反射面１４は、外周部入射面１３から入射された光Ｌを反射して先端側に導く。
【００２２】
指針外周部１０は、図３及び図４に示すように、外周部突出部１２よりも先端側の外周部背面１５が先端に近づくに従って正面側に向かうテーパ状に設けられている。この外周部背面１５は、先端側に向かう光Ｌを反射して正面側に導く。また、上記溝１１内には、図４に示すように、溝内背面１６、１７が設けられている。溝内背面１６は、溝１１の後端に設けられ、先端に近づくに従って正面側に向かうテーパ状に設けられている。溝内背面１７は、溝１１の溝内背面１６よりも先端側に設けられ、先端に近づくに従って正面側に向かうテーパ状に設けられている。
【００２３】
次に、上述した指針中央部２０の形状について説明する。図４に示すように、指針中央部２０は、その後端に背面側に向かって突出する中央部突出部２１が設けられている。この中央部突出部２１の背面が、光源３０からの光Ｌが入射される中央部入射面２２となる。また、指針中央部２０は、その後端の正面に先端に近づくに従って正面側に向かうテーパ状の中央部反射面２３が設けられている。この中央部反射面２３は、溝内背面１６に沿って設けられ、中央部入射面２２から入射された光Ｌを反射して先端側に導く。
【００２４】
また、指針中央部２０は、図３及び図４に示すように、その中央部正面２４が溝内背面１７に沿って設けられ、先端に近づくに従って正面側に向かうテーパ状に設けられている。指針中央部２０は、図４に示すように、中央部突出部２１よりも先端側の中央部背面２５が先端に近づくに従って正面側に向かうテーパ状に設けられている。この中央部背面２５は、先端側に向かう光Ｌを反射して正面側に導く。上述した指針中央部２０は、図２及び図３に示すように、指針中央部２０の先端側の幅Ｗ２が指針外周部１０の溝幅Ｗ１よりも小さくなるように設けられている。
【００２５】
次に、上述した指針に入射された光Ｌの進み方について説明する。まず、光源３０から光Ｌが出射されると、その光Ｌが外周部入射面１３から指針外周部１０内に入射され、中央部入射面２２から指針中央部２０に入射される。外周部入射面１３から指針外周部１０に入射された光Ｌは、外周部反射面１４で反射されて先端側に導かれる。その後、外周部背面１５で反射されて正面側に出射される。
【００２６】
また、外周部反射面１４で反射された光Ｌは、図４に示すように、この外周部反射面１４と溝内背面１６との間、正面と溝内背面１７との間で反射が繰り返されて先端側に導かれつつ、正面側に出射される。
【００２７】
一方、中央部入射面２２から指針中央部２０に入射された光Ｌは、中央部反射面２３で反射されて先端側に導かれる。その後、中央部背面２５と中央部正面２４との間で反射を繰り返しつつ、正面側に出射される。これにより、指針は先端から後端まで一様の輝度で光輝して視認される。また、上述したように、指針中央部２０が、指針外周部１０と同系色で、かつ指針外周部１０よりも濃い色に着色されて設けられているので、指針が、正面の中央部が濃く幅方向の端部が淡くなるように視認されるため、立体感やアクリルの素材感を出すことができ、意匠性の向上を図ることができる。
【００２８】
また、上述した指針によれば、溝１１が、先端部から後端部に亘って延在するように設けられているので、先端部から後端部に亘って正面中央部が濃く幅方向の端部が淡くなるように視認され、より一層意匠性の向上を図ることができる。
【００２９】
また、上述した指針によれば、指針中央部２０の先端側の幅Ｗ２が指針外周部１０の溝幅Ｗ１よりも小さくなるように指針中央部２０が設けられているので、色濃度の高い指針中央部２０の先端を細くすることができ、指示精度の向上を図ることができる。
【００３０】
なお、上述した実施形態によれば、指針中央部２０の先端側の幅Ｗ２が指針外周部１０の溝幅Ｗ１よりも小さくなるように指針中央部２０を設けていたが、本発明はこれに限ったものではない。例えば、指針中央部２０の先端側の幅Ｗ２と、指針外周部１０の溝幅Ｗ１とがほぼ同じになるように設けても良い。
【００３１】
また、上述した実施形態によれば、溝１１が、先端部から後端部に亘って延在するように設けられていたが、本発明はこれに限ったものではない。溝１１としては、指針外周部１０の長手方向に沿って設けていればよく、例えば先端部のみに設けるようにしてもよい。
【００３２】
また、上述した実施形態によれば、指針中央部２０が、指針外周部１０と同系色で、かつ指針外周部１０よりも濃い色に着色されて設けられていたが、本発明はこれに限ったものではない。指針外周部１０と指針中央部２０とは各々異なる色に着色されていれば、指針の中央部と幅方向の端部とが異なる色に視認され、意匠性向上を図ることができるため、同系色でなくてもよい。
【００３３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３４】
【図１】本発明の指針の一実施の形態を示す部分背面斜示図である。
【図２】図１に示す指針の先端側の部分斜示図である。
【図３】図１に示す指針の背面図である。
【図４】図１に示す指針のＩＶ−ＩＶ線断面図である。
【符号の説明】
【００３５】
１０  指針外周部
１１  溝
２０  指針中央部
【図１】
2008157726.tif 000003
【図２】
2008157726.tif 000004
【図３】
2008157726.tif 000005
【図４】
2008157726.tif 000006